(57)【要約】【課題】  放送情報記録サーバが、ユーザ端末の放送受信履歴を考慮した編集を行って録画予約された放送番組の内容を配信することを可能にする手段を提供する。【解決手段】  放送情報記録サーバ２００は、ネットワーク４００を介してユーザ端末１００から記録予約を受けた放送情報を放送情報送信装置（テレビ局など）３００から受信して記録しておき、ユーザ端末１００から該記録予約を受けた放送情報の配信要求を受けたとき、ユーザ端末１００が備えている方送受信機でユーザ端末自身で放送情報送信装置３００から受信した放送情報の受信履歴情報を受けて、ユーザ端末１００で受信した放送情報を除いた放送情報を、ネットワーク４００を介してユーザ端末１００に送信する。【選択図】      図１
2005354323.tif 000002
【特許請求の範囲】
【請求項１】
ネットワークを介してユーザ端末から記録予約を受けた放送情報を受信して記録しておき、前記ユーザ端末から該記録予約を受けた放送情報の配信要求を受けたとき、該記録した放送情報を、前記ユーザ端末または該ユーザ端末により指定された機器に前記ネットワークを介して送信する情報記録サーバを備えた放送情報記録・配信システムにおいて、
前記ユーザ端末は、前記情報記録サーバに前記放送情報の記録予約指示を送信する手段と、前記情報記録サーバに配信要求を送信して情報記録サーバから前記放送情報を受信する手段と、前記放送情報を放送情報送信装置から直接受信する手段と、直接受信した前記放送情報の受信履歴情報を前記情報記録サーバに送信する手段を有しており、
前記情報記録サーバは、前記ユーザ端末から送信された予約指示情報に基づき放送情報を前記放送情報送信装置から受信して記録する放送記録手段と、前記ユーザ端末から送信された前記受信履歴情報に基づき前記放送記録手段によって記録された放送情報を編集する情報編集手段と、前記情報編集手段によって編集された放送情報を送信する情報送信手段を有している
ことを特徴とする放送情報記録・配信システム。
【請求項２】
前記情報記録サーバは、前記ユーザ端末より放送受信履歴情報の送信がなされなかった前記放送情報の配信要求を受けたときには、前記編集手段による編集を行わず、前記情報送信手段により前記記録した放送情報をそのまま送信することを特徴とする請求項１に記載の放送情報記録・配信システム。
【請求項３】
前記ユーザ端末は、前記予約指示情報としてキーワード情報または個別の番組情報（チャンネル／放送時間）を送信し、前記情報記録サーバは、前記放送記録手段が前記キーワード情報または個別の番組情報に基づき所定の番組を抽出して放送情報の記録を行うとともに、前記情報編集手段が放送受信履歴情報に基づき、前記放送記録手段によって記録された放送情報の中から、ユーザ端末により直接受信された放送情報と、受信されなかった放送情報を抽出し、該受信されなかった放送情報のみを、前記情報送信手段により送信することを特徴とする請求項１または２に記載の放送情報記録・配信システム。
【請求項４】
前記ユーザ端末は、前記予約指示情報としてキーワード情報または個別の番組情報（チャンネル／放送時間）を送信し、前記情報記録サーバは、前記放送記録手段が前記キーワード情報または個別の番組情報に基づき所定の番組を抽出して放送情報の記録を行うとともに、前記情報編集手段が放送受信履歴情報に基づき、前記放送記録手段によって記録された放送情報の中から、ユーザ端末により直接受信された放送情報と、受信されなかった放送情報を抽出し、該受信されなかった放送情報はそのまま前記情報送信手段により送信し、前記直接受信された放送情報は前記受信されなかった放送情報よりも少ない情報量の信号に編集して前記情報送信手段により送信することを特徴とする請求項１または２に記載の放送情報記録・配信システム。
【請求項５】
前記ユーザ端末は、予約指示情報としてキーワード情報を送信し、前記情報記録サーバは、前記放送記録手段が前記キーワード情報に基づき所定の番組を抽出して放送情報の記録を行うとともに、前記情報編集手段が当該放送情報の記録時から所定時間経過したとき、或いは新たな放送情報の記録がユーザ記憶領域を超えるときは、既に記録された放送情報の消去、或いは上書きをすることを特徴とする請求項１または２に記載の放送情報記録・配信システム。
【請求項６】
請求項１〜５のいずれかに記載の放送情報記録・配信システムに用いられるユーザ端末であって、
前記情報記録サーバに前記放送情報の記録予約指示を送信する手段と、前記情報記録サーバに配信要求を送信して情報記録サーバから前記放送情報を受信する手段と、前記放送情報を放送情報送信装置から直接受信する手段と、直接受信した前記放送情報の受信履歴情報を前記情報記録サーバに送信する手段を有していることを特徴とするユーザ端末。
【請求項７】
携帯電話機能を有していることを特徴とする請求項６に記載のユーザ端末。
【請求項８】
請求項１〜５のいずれかに記載の放送情報記録・配信システムに用いられる情報記録サーバであって、
前記ユーザ端末から送信された予約指示情報に基づき放送情報を放送情報送信装置から受信して記録する放送記録手段と、前記ユーザ端末から送信された前記受信履歴情報に基づき前記放送記録手段によって記録された放送情報を編集する情報編集手段と、前記情報編集手段によって編集された放送情報を前記ユーザ端末または該ユーザ端末により指定された機器に送信する情報送信手段を有していることを特徴とする情報記録サーバ。
【請求項９】
ネットワークを介してユーザ端末から記録予約を受けた放送情報を受信して記録しておき、前記ユーザ端末から該記録予約を受けた放送情報の配信要求を受けたとき、該記録した放送情報を、前記ユーザ端末または該ユーザ端末により指定された機器に前記ネットワークを介して送信する情報記録サーバを備えた放送情報記録・配信システムにおいて、
前記ユーザ端末は、前記情報記録サーバに前記放送情報の記録予約指示を送信する手段と、前記情報記録サーバに配信要求を送信して情報記録サーバから前記放送情報を受信する手段と、前記放送情報を放送情報送信装置から直接受信する手段と、該放送情報を直接受信している際に入力された操作情報（操作入力、時刻）を放送受信履歴情報として記録する手段と、該記録した放送受信履歴情報を前記情報記録サーバに送信する手段を有しており、
前記情報記録サーバは、前記ユーザ端末から送信された予約指示情報に基づき放送情報を前記放送情報送信装置から受信して記録する放送記録手段と、前記ユーザ端末から送信された前記放送受信履歴情報に基づき前記放送記録手段によって記録された放送情報にインデックス情報を付加して編集する情報編集手段と、前記情報編集手段によって編集された放送情報を送信する情報送信手段を有している
ことを特徴とする放送情報記録・配信システム。
【請求項１０】
前記情報記録サーバは、前記ユーザ端末より放送受信履歴情報の送信がなされなかった前記放送情報の配信要求を受けたときには、前記編集手段による編集を行わず、前記情報送信手段により前記記録した放送情報をそのまま送信することを特徴とする請求項９に記載の放送情報記録・配信システム。
【請求項１１】
前記ユーザ端末は、前記予約指示情報としてキーワード情報または個別の番組情報（チャンネル／放送時間）を送信し、前記情報記録サーバは、前記放送記録手段が前記キーワード情報または個別の番組情報に基づき所定の番組を抽出して放送情報の記録を行うとともに、前記情報編集手段が放送受信履歴情報に基づき、前記放送記録手段によって記録された放送情報の中から、ユーザ端末により直接受信された放送情報と、受信されなかった放送情報を抽出し、該受信されなかった放送情報のみを、前記情報送信手段により送信することを特徴とする請求項９または１０に記載の放送情報記録・配信システム。
【請求項１２】
前記ユーザ端末は、前記予約指示情報としてキーワード情報または個別の番組情報（チャンネル／放送時間）を送信し、前記情報記録サーバは、前記放送記録手段が前記キーワード情報または個別の番組情報に基づき所定の番組を抽出して放送情報の記録を行うとともに、前記情報編集手段が放送受信履歴情報に基づき、前記放送記録手段によって記録された放送情報の中から、ユーザ端末により直接受信された放送情報と、受信されなかった放送情報を抽出し、該受信されなかった放送情報はそのまま前記情報送信手段により送信し、前記直接受信された放送情報は前記受信されなかった放送情報よりも少ない情報量の信号に編集して前記情報送信手段により送信することを特徴とする請求項９または０１に記載の放送情報記録・配信システム。
【請求項１３】
前記ユーザ端末は、予約指示情報としてキーワード情報を送信し、前記情報記録サーバは、前記放送記録手段が前記キーワード情報に基づき所定の番組を抽出して放送情報の記録を行うとともに、前記情報編集手段が当該放送情報の記録時から所定時間経過したとき、或いは新たな放送情報の記録がユーザ記憶領域を超えるときは、既に記録された放送情報の消去、或いは上書きをすることを特徴とする請求項９または１０に記載の放送情報記録・配信システム。
【請求項１４】
請求項９〜１３のいずれかに記載の放送情報記録・配信システムに用いられるユーザ端末であって、
前記情報記録サーバに前記放送情報の記録予約指示を送信する手段と、前記情報記録サーバに配信要求を送信して情報記録サーバから前記放送情報を受信する手段と、前記放送情報を放送情報送信装置から直接受信する手段と、該放送情報を直接受信している際に入力された操作情報（操作入力、時刻）を放送受信履歴情報として記録する手段と、該記録した放送受信履歴情報を前記情報記録サーバに送信する手段を有していることを特徴とするユーザ端末。
【請求項１５】
携帯電話機能を有していることを特徴とする請求項１４に記載のユーザ端末。
【請求項１６】
請求項９〜１３のいずれかに記載の放送情報記録・配信システムに用いられる情報記録サーバであって、
前記ユーザ端末から送信された予約指示情報に基づき放送情報を放送情報送信装置から受信して記録する放送記録手段と、前記ユーザ端末から送信された前記放送受信履歴情報に基づき前記放送記録手段によって記録された放送情報にインデックス情報を付加して編集する情報編集手段と、前記情報編集手段によって編集された放送情報を前記ユーザ端末または該ユーザ端末により指定された機器に送信する情報送信手段を有していることを特徴とする情報記録サーバ。
【発明の詳細な説明】
【技術分野】
【０００１】
本発明は、携帯電話機、パソコン等のユーザ端末から、通信ネットワークを介してサーバに対して放送番組（テレビ番組等）の内容を記録する予約登録を行い、サーバが受信して記録した放送番組の内容を、通信ネットワークを介してユーザ端末に配信する技術に関する。
【背景技術】
【０００２】
従来、放送局から放送されるテレビ放送番組を録画して配信するサービス機能を有するサーバをネットワークに接続しておき、ユーザがネットワークを介してサーバに対してテレビ番組の録画予約を行い、予約した録画番組をサーバから入手して視聴することができるテレビ番組録画予約サービスシステムが種々提案されている。（特許文献１〜４等）。
【０００３】
特許文献１では、予約配信センターが、ユーザの情報通信端末から放送番組の録画の予約を受け付け、ユーザが入力した予約情報に該当する放送番組を予約配信センターの管理装置（サーバ）で録画して保管し、ユーザの情報通信端末が予約した放送番組の配信をサーバに要求すると、その要求に応じてサーバが録画してある放送番組をユーザの情報通信端末に配信することにより、ユーザが視聴したいときに予約した放送番組の視聴を可能にしている。
【０００４】
また、特許文献２では、放送番組の遠隔操作による記録予約およびその記録の通信回線による配信を受信する端末装置と、個別ユーザ毎に記憶領域が用意され、前記端末装置からの放送番組の記録予約に基づいて所定の記憶領域に放送番組データを記録し、再生して前記端末装置に配信するセンター装置と、端末装置とセンター装置が接続された通信回線とを備えた放送番組予約配信システムが記載されており、センター装置は、端末装置から予め記録したいものに関連したキーワードが設定されたとき、キーワードが含まれている番組を自動的に記録して配信するサービスを提供している。
【０００５】
また、特許文献３では、サービスセンターが、放送内容の映像データを連続して記録しておき、インターネットを介して顧客から受信した、放送局名、放送日、および放送時間帯を特定可能な番組特定情報に基づいて、前記特定時間帯の映像データから所定時間毎に一部取り出して作成した複数のインデックスを前記顧客に提供し、顧客が指定したインデックス間の記録映像データを、インターネットを介して前記顧客に配信するサービスを提供している。
【０００６】
また、特許文献４では、テレビジョン放送番組を受信する受信手段と、パソコンあるいは携帯電話等の端末から通信ネットワークを介して入力される録画予約を管理する録画予約管理手段と、録画予約管理手段の録画予約に基づいて前記受信手段により受信したテレビジョン放送番組を記憶装置に記録する録画手段と、通信ネットワークを介して端末から録画したテレビジョン放送番組の配信要求を受けて、前記記憶装置から該当のテレビジョン放送番組を読み出し、通信ネットワークを介して前記端末にダウンロードまたはストリーミングで配信する配信手段を備えたサーバ装置を設け、録画されたテレビジョン放送番組を、任意の時間に通信ネットワーク経由で取得して視聴可能にしている。
【０００７】
【特許文献１】特開２００２−４４５８１号公報
【特許文献２】特開２００２−５１２８５号公報
【特許文献３】特開２００２−２７１７６７号公報
【特許文献４】特開２００３−３１９３６３号公報
【発明の開示】
【発明が解決しようとする課題】
【０００８】
近年、テレビ受信機能付の携帯電話機が普及しつつあり、外出中にこのテレビ受信機能付の携帯電話機で放送テレビ番組を視聴することができる機会が増えている。そのため、例えば上記のテレビ番組録画予約サービスシステムを利用して録画予約をした放送テレビ番組の一部を、放送中にこのテレビ受信機能付の携帯電話機で視聴できたとき、視聴した部分については、わざわざ通信料を払ってまで再度視聴する必要がない場合が生ずる。
【０００９】
従ってそのような場合に、ユーザ端末側から放送情報記録サーバに対して、録画予約をした放送テレビ番組の既に視聴した一部を除いた内容をダウンロード配信またはストリーム配信することを要求する手段があれば好都合であるが、従来そのような手段については全く考慮されていない。特許文献３に記載された発明の場合、放送情報記録サーバ側で、特定時間帯の映像データから所定時間毎に一部取り出して作成した複数のインデックスを顧客に提供し、顧客は提供されたインデックス間の記録映像データを指定することはできるが、顧客側でインデックス情報を作成し、該インデックス情報に基づいて放送情報記録サーバに配信要求をすることはできない。
【００１０】
本発明の目的は、上記課題に鑑み、放送情報記録サーバが、ユーザ端末から送信された放送受信履歴等を考慮した編集を行って、録画予約された放送番組の内容を配信することを可能にする手段を提供することにある。
【課題を解決するための手段】
【００１１】
本発明は、ネットワークを介してユーザ端末から記録予約を受けた放送情報を受信して記録しておき、前記ユーザ端末から該記録予約を受けた放送情報の配信要求を受けたとき、該記録した放送情報を、前記ユーザ端末または該ユーザ端末により指定された機器に前記ネットワークを介して送信する情報記録サーバを備えた放送情報記録・配信システムにおいて、前記ユーザ端末は、前記情報記録サーバに前記放送情報の記録予約指示を送信する手段と、前記情報記録サーバに配信要求を送信して情報記録サーバから前記放送情報を受信する手段と、前記放送情報を放送情報送信装置から直接受信する手段と、直接受信した前記放送情報の受信履歴情報を前記情報記録サーバに送信する手段を有しており、前記情報記録サーバは、前記ユーザ端末から送信された予約指示情報に基づき放送情報を前記放送情報送信装置から受信して記録する放送記録手段と、前記ユーザ端末から送信された前記受信履歴情報に基づき前記放送記録手段によって記録された放送情報を編集する情報編集手段と、前記情報編集手段によって編集された放送情報を送信する情報送信手段を有していることを特徴とする。
【００１２】
また、本発明は、ネットワークを介してユーザ端末から記録予約を受けた放送情報を受信して記録しておき、前記ユーザ端末から該記録予約を受けた放送情報の配信要求を受けたとき、該記録した放送情報を、前記ユーザ端末または該ユーザ端末により指定された機器に前記ネットワークを介して送信する情報記録サーバを備えた放送情報記録・配信システムにおいて、前記ユーザ端末は、前記情報記録サーバに前記放送情報の記録予約指示を送信する手段と、前記情報記録サーバに配信要求を送信して情報記録サーバから前記放送情報を受信する手段と、前記放送情報を放送情報送信装置から直接受信する手段と、該放送情報を直接受信している際に入力された操作情報（操作入力、時刻）を放送受信履歴情報として記録する手段と、該記録した放送受信履歴情報を前記情報記録サーバに送信する手段を有しており、前記情報記録サーバは、前記ユーザ端末から送信された予約指示情報に基づき放送情報を前記放送情報送信装置から受信して記録する放送記録手段と、前記ユーザ端末から送信された前記放送受信履歴情報に基づき前記放送記録手段によって記録された放送情報にインデックス情報を付加して編集する情報編集手段と、前記情報編集手段によって編集された放送情報を送信する情報送信手段を有していることを特徴とする。
【００１３】
本発明のユーザ端末は、前記情報記録サーバに前記放送情報の記録予約指示を送信する手段と、前記情報記録サーバに配信要求を送信して情報記録サーバから前記放送情報を受信する手段と、前記放送情報を放送情報送信装置から直接受信する手段と、直接受信した前記放送情報の受信履歴情報を前記情報記録サーバに送信する手段を有していることを特徴とする。
【００１４】
また、本発明のユーザ端末は、前記情報記録サーバに前記放送情報の記録予約指示を送信する手段と、前記情報記録サーバに配信要求を送信して情報記録サーバから前記放送情報を受信する手段と、前記放送情報を放送情報送信装置から直接受信する手段と、該放送情報を直接受信している際に入力された操作情報（操作入力、時刻）を放送受信履歴情報として記録する手段と、該記録した放送受信履歴情報を前記情報記録サーバに送信する手段を有していることを特徴とする。
【００１５】
本発明の情報記録サーバは、前記ユーザ端末から送信された予約指示情報に基づき放送情報を放送情報送信装置から受信して記録する放送記録手段と、前記ユーザ端末から送信された前記受信履歴情報に基づき前記放送記録手段によって記録された放送情報を編集する情報編集手段と、前記情報編集手段によって編集された放送情報を前記ユーザ端末または該ユーザ端末により指定された機器に送信する情報送信手段を有していることを特徴とする。
【００１６】
また、本発明の情報記録サーバは、前記ユーザ端末から送信された予約指示情報に基づき放送情報を放送情報送信装置から受信して記録する放送記録手段と、前記ユーザ端末から送信された前記放送受信履歴情報に基づき前記放送記録手段によって記録された放送情報にインデックス情報を付加して編集する情報編集手段と、前記情報編集手段によって編集された放送情報を前記ユーザ端末または該ユーザ端末により指定された機器に送信する情報送信手段を有していることを特徴とする。
【発明の効果】
【００１７】
本発明の放送情報記録・配信システムによれば、例えば、携帯電話機などのユーザ端末を用いることで、いつでも、どこでも番組の録画予約を行うこと、および録画された番組を視聴することができるとともに、録画された番組のダウンロードに際しては、ユーザ端末の放送受信履歴情報を送信することで、放送情報の必要とする部分のみ、或いは不必要な部分の情報量を削減した情報が送信されるので、ユーザの利便性が向上し、かつ情報の通信量削減により通信料金を削減することができる。
【００１８】
また、不要データの削減は、データを保存上も、記憶領域の節約につながるので、記憶領域を有効に利用することができる。
【発明を実施するための最良の形態】
【００１９】
図１は、本発明の放送情報記録・配信システムの実施形態を示す概念図であり、ユーザ端末１００と、情報記録サーバ２００と、放送情報送信装置３００（テレビ局など）とから主に構成されている。また、ユーザ端末１００と情報記録サーバ２００は、プログラム制御により動作し、インターネット等の通信ネットワーク４００を介して相互に接続されている。
【００２０】
ユーザ端末１００は、携帯電話機（１００ａ）やパーソナルコンピュータ（１００ｂ）等の情報通信処理装置であり、情報記録サーバ２００にアクセスし、放送情報の記録指示を行う機能、および情報記録サーバ２００によって記録された放送情報を受信（ダウンロードあるいはストリーム受信）して再生する機能を備えている。放送情報は、例えばテレビジョン放送のことである。
【００２１】
情報記録サーバ２００は、放送情報記録サービス提供者によって設置されるワークステーション・サーバ等の情報処理装置であり、ユーザ端末１００からの予約指示情報を受信して放送情報（放送番組の内容）の録画記録を行い、ユーザ端末１００からの指示に従って記録した放送情報をユーザ端末１００に送信する機能を備えている。
【００２２】
図２は、本実施形態で用いられるユーザ端末１００がテレビ放送受信機能付の携帯電話機１００ａである場合の構成を示すブロック図である。
【００２３】
ユーザ端末１００ａは、上部筐体と下部筐体がヒンジを介して開閉可能に結合された折畳み型、上部筐体がヒンジ軸の周りに回転可能な形態、上部筐体と下部筐体がスライドするスライド型、あるいは単一の筐体からなる形態等、適宜の形状の筐体によって形成された携帯電話端末であって、図示しない無線基地局（携帯電話基地局装置）を介しての無線による通話あるいはメール送受信機能を有している。
【００２４】
その主な構成は、無線基地局との間でアンテナ１０９を介して無線信号を送受する無線部１０１と、各種情報入力を行うテンキー、スクロール／決定キー等から構成され下側筐体内面（フロント）側に配設された操作部１０３と、音声信号処理を行う送受話部１０５への入力、出力を行うスピーカ１０５ａおよびマイク１０５ｂと、報知音やコンテンツ再生時の楽音情報を出力するスピーカ１０６と、電話帳情報、送受信メール情報、発着呼情報、放送受信処理部１０８を介する放送情報の受信履歴や放送受信処理部１０８を介する放送情報受信時の操作部１０３の入力操作履歴、携帯電話端末の各種設定等を記憶する記憶部１０７と、アンテナ１１０を介して受信した、放送情報送信装置３００（テレビ局など）からの放送波を選択受信し、デコードする放送受信処理部１０８と、ユーザ端末１００ａ各部の制御を行い、電話機能、メール機能、テレビ受信機能等の制御を行う制御部１０２と、上部筐体内面（フロント）側に配設され各種情報表示およびテレビ画像表示を行う表示部１０４とからなる。
【００２５】
図３は、本実施形態で用いられる情報記録サーバ２００の構成を示すブロック図である。
【００２６】
情報記録サーバ２００は、通信ネットワーク４００との間で情報の送受を行う通信Ｉ／Ｆ部２０１と、ＩＤ、パスワードなどのユーザ情報、ユーザ端末から送信された録画予約に関する情報（キーワード情報等）、録画記録された情報に対するユーザの編集条件、随時更新される放送番組情報、などを記憶する記憶部２０３と、録画記録された放送情報を予め設定されたユーザ設定に応じて編集（録画記録された放送情報の削除や情報量変換など）を行う放送情報編集部２０４と、ユーザ毎に記憶領域を設定し、アンテナ２０７および放送情報受信処理部２０６を介して受信した放送情報（放送番組の内容）、或いは放送情報編集部２０４により処理された放送情報を記憶する放送記録部２０５と、放送情報送信装置３００（テレビ局など）からの放送波を選択受信し、デコードする放送受信処理部２０６と、情報記録サーバ２００各部の制御を行い、ユーザ端末１００との情報送受信機能、テレビ受信機能等の制御を行う制御部２０２とから主に構成される。
【００２７】
図４〜図６は、本実施形態の動作を示すフローチャートである。以下、図１〜図６を参照して、本実施形態の放送情報記録・配信システムの動作について説明する。
【００２８】
放送番組の予約を希望する本サービス利用者は、ユーザ端末１００を用い、アンテナ１０９、無線部１０１を介する信号送受により情報記録サーバ２００にアクセスし（ステップＳ１０１）、操作部１０３を介する入力操作による所定の認証（ＩＤ、パスワード入力）を経た後（ステップＳ１０２〜Ｓ１０４）、操作部１０３を介して、例えばキーワード情報の入力・送信、及び登録を行う（ステップＳ１０５〜Ｓ１０７）。
【００２９】
キーワード情報は、例えば、番組のテーマ（旅行、ラーメン、アニメ）や出演者などに関する情報であり、情報記録サーバ２００が番組表からキーワードと一致する番組を抽出して記録する場合に用いられる。なお、個別の番組情報（チャンネル／放送時間）を指定する予約形態であっても良い。情報記録サーバ２００は、記憶部２０３に放送番組表が随時更新記録されており、キーワード情報と一致する番組を抽出して予約登録する（ステップＳ１１１）。
【００３０】
すなわち、図５に示すように、情報記録サーバ２００の制御部２０２は、ユーザ端末１００より通信Ｉ／Ｆ部を介してキーワード情報を受信すると（ステップＳ２０１）、記憶部２０３に格納された番組表の内容との一致判定を行う（ステップＳ２０２〜Ｓ２０３）。制御部２０２による判定の結果、特定の番組が抽出された場合には、当該番組に対する予約登録がなされ（ステップＳ２０４〜Ｓ２０５）、予約情報はユーザ端末１００にもメール送信される（ステップＳ２０６）。そして、放送時刻になると当該放送番組が受信され、放送情報が放送記録部２０５に格納される（ステップＳ１１２）。
【００３１】
一方、ユーザ端末１００ａもアンテナ１１０、放送受信処理部１０８を介して放送情報送信装置３００（テレビ局など）からの放送波を直接受信が可能であって、放送波を直接受信した場合は、当該放送の受信記録（チャンネル／放送時間）を放送受信履歴情報として記憶部１０７に記録する（ステップＳ１１３〜Ｓ１１４）。この受信記録は、ユーザの操作部１０３を介する操作入力により、或いは予め設定されたタイミング（ユーザ端末１００ａによる放送受信を止めた時点等）で、ユーザ端末のＩＤを付したメール等により情報記録サーバ２００に送信される（ステップＳ１１５）。
【００３２】
ユーザ端末１００ａから放送受信履歴情報を受信した情報記録サーバ２００は、放送記録部２０５に格納した当該ユーザ端末の放送情報を読出し、受信した放送受信履歴情報に基づき、放送情報編集部２０４により適宜の情報加工を行い、放送記録部２０５に格納する（ステップＳ１１６〜Ｓ１１７）。
【００３３】
すなわち、図６に示すように、情報記録サーバ２００の制御部２０２は、予約登録に従って番組録画が行われた後、ユーザ端末１００ａから放送受信履歴情報を受信したときには（ステップＳ３０１〜Ｓ３０２）、この放送受信履歴情報を解析し（ステップＳ３０３）、放送記録部２０５に格納された放送情報を読出す。
【００３４】
そして、予めユーザ端末１００利用者により登録され記憶部２０３に格納された設定に従い、放送情報編集部２０４により、ユーザに送信する記録情報の一部削除（ユーザ端末１００受信済情報の削除）、或いは情報量削減（ユーザ端末１００受信済情報の音声／画像情報は粗い画像データにして送信情報量を減らす）処理を行い（ステップＳ３０４〜Ｓ３０６）、加工した情報を放送記録部２０５に格納する（ステップＳ３０７）。
【００３５】
放送番組の記録予約をした利用者が、情報記録サーバ２００に格納された放送情報の視聴を希望する場合は、ユーザ端末１００を用い、アンテナ１０９、無線部１０１を介する信号送受により情報記録サーバ２００にアクセスし（ステップＳ１２１）、操作部１０３を介する入力操作による所定の認証（ＩＤ、パスワード入力）を経た後（ステップＳ１２２〜Ｓ１２４）、操作部１０３を介する記録済放送情報の選択により当該放送情報を情報記録サーバ２００からダウンロードあるいはストリーム受信し、番組の視聴を行う（ステップＳ１２５〜Ｓ１２８）。
【００３６】
なお、ユーザ端末１００より放送受信履歴情報の送信がなされない場合は、情報記録サーバ２００は、ユーザ端末１００で指定されたキーワード情報、或いは個別の番組情報（チャンネル／放送時間）により記録された放送情報（放送番組の内容）を編集せずに、そのままユーザ端末１００にダウンロードあるいはストリーム送信する。
【００３７】
また、ダウンロードまたはストリーム送信する対象の端末は、ユーザ端末１００自身でなくてもよく、例えば、ユーザ端末１００によって指定可能であって、かつ通信ネットワーク４００に接続されているＶＨＳ、ＤＶＤなどの録画機器であっても良い。
【００３８】
図７は、本発明の他の実施形態を示すフローチャートであり、ユーザ端末１００が放送情報送信装置３００から番組放送を直接受信している際の操作部１０３による入力操作情報（操作入力、時刻）を、放送受信履歴情報として記録し、この入力操作情報を、同一番組放送を受信する情報記録サーバの放送情報にインデックスとして付加することにより、情報記録サーバから入手する放送情報の内容をユーザ端末側で選択可能にするものである。
【００３９】
すなわち、図７に示すように、情報記録サーバ２００の制御部２０２は、予約登録に従って番組録画が行われた後、ユーザ端末１００より入力操作情報（操作入力、時刻）を有する放送受信履歴情報を受信したときは（ステップＳ４０１〜Ｓ４０２）、この放送受信履歴情報を解析し（ステップＳ４０３）、放送記録部２０５に格納された放送情報を読出して、操作が行われた放送情報箇所にインデックス情報を付加する（ステップＳ４０４〜Ｓ４０６）。
【００４０】
本実施形態によれば、録画した番組のダウンロードに際しては、必要とする部分の頭出しがされた状態で情報が送信されるので、例えば、ユーザ端末１００で受信していた放送情報の続きを改めて視聴する場合や、ユーザ端末１００で受信していた放送情報の重要部分（視聴中に重要と認識した部分）を再度確認する場合など、希望する部分からダウンロードされて再生されるので、ユーザの利便性が向上する。
【図面の簡単な説明】
【００４１】
【図１】本発明の放送情報記録・配信システムの実施形態を示す概念図である。
【図２】本実施形態で用いられるユーザ端末をテレビ放送受信機能付の携帯電話機とした場合の構成を示すブロック図である。
【図３】本実施形態で用いられる情報記録サーバの構成を示すブロック図である。
【図４】本実施形態の動作を示すフローチャートである。
【図５】本実施形態の動作を示すフローチャートである。
【図６】本実施形態の動作を示すフローチャートである。
【図７】他の実施形態の動作を示すフローチャートである。
【符号の説明】
【００４２】
１００ａ、１００ｂ  ユーザ端末
１０１  無線部
１０２  制御部
１０３  操作部
１０４  表示部
１０５  送受話部
１０５ａ、１０６  スピーカ
１０５ｂ  マイク
１０７  記憶部
１０８  放送受信処理部
１０９、１１０  アンテナ
２００  情報記録サーバ
２０１  通信Ｉ／Ｆ部
２０２  制御部
２０３  記憶部
２０４  放送情報編集部
２０５  放送記録部
２０６  放送情報受信処理部
２０７  アンテナ
３００  放送情報送信装置（テレビ局など）
４００  通信ネットワーク
【図１】
2005354323.tif 000003
【図２】
2005354323.tif 000004
【図３】
2005354323.tif 000005
【図４】
2005354323.tif 000006
【図５】
2005354323.tif 000007
【図６】
2005354323.tif 000008
【図７】
2005354323.tif 000009